(57)【要約】【課題】電路が遮断されるまでの時間を調整する際に、通電試験等によって発熱した回路遮断器が常温に戻るまで待つ必要をなくし、又、個人の感覚に頼ることのない、作業効率を向上させることが可能な過電流引外し調整機構を少ない部品数で提供する。【解決手段】回路遮断器のケース内部に設けられる過電流引外し調整機構であって、この過電流引外し調整機構は一端を固定とした固定端と他端を自由に設けた自由端とからなる極ごとに設けられるバイメタルと、バイメタルに押圧駆動されると共に極ごとに足部を設けた掛合片と、掛合片の足部とバイメタルとの当接位置に回動可能に偏心させて設けると共に回動後の状態の維持が可能である調整部とからなる。【選択図】図２
2010033792.tif 000002
【特許請求の範囲】
【請求項１】
回路遮断器のケース内部に設けられる過電流引外し調整機構であって、該過電流引外し調整機構は一端を固定とした固定端と他端を自由に設けた自由端とからなる極ごとに設けられるバイメタルと、該バイメタルに押圧駆動されると共に極ごとに足部を設けた掛合片と、該掛合片の前記足部と前記バイメタルとの当接位置に回動可能に偏心させて設けると共に回動後の状態の維持が可能である調整部とからなることを特徴とする過電流調整機構。
【発明の詳細な説明】
【技術分野】
【０００１】
本発明は、回路遮断器における過電流調整機構に関するものである。
【背景技術】
【０００２】
従来、回路遮断器には特許文献１に記載されているような、主回路に過電流、短絡、漏電等の異常が発生した場合はケース３１内部に設けられるバイメタル３２と掛合片３３とからなる引き外し機構が駆動して開閉機構部による可動接触子への押圧を解除し、バネにより固定接触子から可動接触子を開離させて主回路が遮断される回路遮断器があった。
【特許文献１】特開２００４−５５１７３
【発明の開示】
【発明が解決しようとする課題】
【０００３】
しかしながら、特許文献１に記載の発明では、過電流が流れた際に電路が遮断されるまでの時間の調整を行うには、実際に電流を流して電路が遮断されるまでの所要時間を計測し、調整ネジによって調整を行う必要がある場合が多いという欠点があった。又、一度電流を流した回路遮断器は発熱するため、再び常温に戻るまで待つ必要があり、作業効率を低下させる恐れがあるという欠点があった。
【０００４】
又、ケース内部に設けられる調整ネジを調整窓から工具によって調整するため、個人の感覚に頼ることとなり、慣れるまでの複数回の作業が必要となり、全体としての作業効率を下げる恐れがあるという欠点があった。
【０００５】
このため、本発明によって解決しようとする課題は、電路が遮断されるまでの時間を調整する際に、通電試験等によって発熱した回路遮断器が常温に戻るまで待つ必要をなくし、又、個人の感覚に頼ることのない、作業効率を向上させることが可能な過電流引外し調整機構を少ない部品数で提供することにある。
【課題を解決するための手段】
【０００６】
上記した課題を解決するためになされた本発明の過電流調整機構は、回路遮断器のケース内部に設けられる過電流引外し調整機構であって、この過電流引外し調整機構は一端を固定とした固定端と他端を自由に設けた自由端とからなるバイメタルと、バイメタルに押圧駆動されると共に極ごとに足部を設けた掛合片と、掛合片の足部とバイメタルとの当接位置に回動可能に偏心させて設けると共に回動後の状態の維持が可能である調整部とからなる。
【発明の効果】
【０００７】
本発明の過電流引外し機構によれば、掛合片のバイメタルとの当接位置に回動可能な調整部を設けたため、掛合片とバイメタルとの間の距離を組立時に調整することが可能となる。又、組立時に調整可能となるため、電流を流す作業と、その後で再び常温に戻るのを待つ時間が不要となり、作業効率の向上を図ることが可能である。
【０００８】
又、調整部を回動させることによって掛合片とバイメタルとの間の距離を調整するため、従来の回路遮断器に用いられていた調整ネジが不要となり、調整ネジを用いて調整する際に個人の感覚に頼ることがなくなるため、作業効率の向上を図ることが可能である。
【発明を実施するための最良の形態】
【０００９】
本発明では、回動可能な調整部を設けてバイメタルと掛合片との間の距離を調整するため、電流を流して電路が遮断されるまでの時間を計測し、常温に戻るまで待ってから再び電流を流す作業を繰り返して調整する必要をなくし、又、個人の感覚に頼ることのない、作業効率を向上させることが可能な構造を少ない部品数で可能にした。
【実施例１】
【００１０】
以下、本発明の実施の形態を説明する。
回路遮断器のケース１内部に設けられる過電流引外し調整機構であって、この過電流引外し調整機構は一端を固定とした固定端と他端を自由に設けた自由端とからなるバイメタル２、１２と、バイメタル２、１２に押圧駆動されると共に極ごとに足部４、１４を設けた掛合片３、１３と、掛合片３、１３の足部４、１４とバイメタル２、１２との当接位置に回動可能に偏心させて設けると共に回動後の状態の維持が可能である調整部５、１５とからなる。調整部５、１５は略円柱からなり、回動の際の軸を円の中心から外れた位置に設けて回動させることによって掛合片３、１３とバイメタル２、１２との間の距離を調整し、過電流が流れた際に電路が遮断されるまでの時間の調整が可能である。又、調整部５、１５を設けることでバイメタル２、１２と掛合片３、１３との間の距離を調整するため、電流を流して電路が遮断されるまでの時間を計測し、常温に戻るまで待ってから再び電流を流す作業を繰り返して調整する必要がなくなるため、作業効率の向上を図ることが可能である。又、調整ネジが不要となることに加え、組立時に視認可能であるため、個人の感覚に頼ることがなく、各回路遮断器に安定して同様の性能を持たせることが可能である。
【実施例２】
【００１１】
回路遮断器のケース内部に設けられる過電流引外し調整機構であって、この過電流引外し調整機構は一端を固定とした固定端と他端を自由に設けた自由端とからなるバイメタル２２と、バイメタル２２に押圧駆動されると共に極ごとに足部２４を設けた掛合片２３と、掛合片２３の足部２４とバイメタル２２との当接位置に回動可能に偏心させて設けると共に回動後の状態の維持が可能である調整部２５とからなる。調整部２５は断面が略楕円である円柱からなり、回動させることによって掛合片２３とバイメタル２２との間の距離を調整し、過電流が流れた際に電路が遮断されるまでの時間の調整が可能である。又、調整部２５を設けることでバイメタル２２と掛合片２３との間の距離を調整するため、電流を流して電路が遮断されるまでの時間を計測し、常温に戻るまで待ってから再び電流を流す作業を繰り返して調整する必要がなくなるため、作業効率の向上を図ることが可能である。又、調整ネジが不要となることに加え、組立時に視認可能であるため、個人の感覚に頼ることがなく、各回路遮断器に安定して同様の性能を持たせることが可能である。
【００１２】
以上のように、本発明の過電流調整機構は、調整窓の周縁に設けたゲージ部と調整ネジに設けたマーク部とから、掛合片とバイメタルとの間の距離の調整時において調整ネジの回転した距離が視認可能となるため、調整作業の効率化を図ることが可能となり、過電流が流れた際に電路を遮断するまでの時間にばらつきが出る恐れを少なくすることが可能となるものである。
【図面の簡単な説明】
【００１３】
【図１】本発明の実施例１における、過電流調整機構の側面断面図である。
【図２】本発明の実施例１における、過電流調整機構の要部の斜視図である。
【図３】本発明の実施例２における、過電流調整機構の側面断面図である。
【図４】従来技術における、特許文献１に記載の過電流調整機構の断面図である。
【符号の説明】
【００１４】
１、３１    ケース
２、１２、２２、３２    バイメタル
３、１３、２３、３３    掛合片
４、１４、２４    足部
５、１５、２５    調整部
【図１】
2010033792.tif 000003
【図２】
2010033792.tif 000004
【図３】
2010033792.tif 000005
【図４】
2010033792.tif 000006